(57)【特許請求の範囲】
【請求項１】
第１のセルが少なくとも第１のゾーンのサービスを提供し、第２セルが該第１のゾーンと第２のゾーンの両方のサービスを提供し、該第１のゾーンのサービスが該第２のゾーンのサービスと異なるような該第１と第２の隣接セルを有する無線ネットワークにおけるトグル切り替えを防止する方法であって、
モバイルユニットが該第１のセルから該第２のセルにハンドオフした後に、該第１のゾーンのサービスを維持し、
該モバイルユニットが、該第２のゾーンへハンドオフして通過し、該第２のセル内を進んだ後、該第２のゾーンのサービスへ切り替え、該第２のセルとの通信の間に、該第２のゾーンへの移行ポイントが、該第２のセルへのハンドオフポイントからずれていることを特徴とする方法。
【請求項２】
前記第２のセルの信号強度が前記第１のセルの信号強度より所定の量だけ大きくなるまで、前記第１のゾーンのサービスが該第２のセル内で維持されることを特徴とする請求項１に記載の方法。
【請求項３】
前記第２のセルの信号強度が前記第１のセルの信号強度よりイグジットパラメータと等しい量だけ大きくなるまで、前記第１のゾーンのサービスが該第２のセル内で維持され、該イグジットパラメータは、前記モバイルユニットが該第２のセルに入る前に通信していたセル及びゾーンの識別情報に依存することを特徴とする請求項１に記載の方法。
【請求項４】
前記イグジットパラメータは、前記第２のセルに入る前に前記モバイルユニットが通信していたセルによって、該モバイルユニットに送信されることを特徴とする請求項３に記載の方法。
【請求項５】
前記イグジットパラメータは、前記モバイルユニットのメモリに格納されている該イグジットパラメータのリストから得られ、適切な該イグジットパラメータは、該モバイルユニットが前記第２のセルに入る前に通信していたセル及びゾーンの識別情報に基づいたリストから選択されることを特徴とする請求項３に記載の方法。
【請求項６】
前記イグジットパラメータは、前記モバイルユニットが前記第２のゾーンのサービスに切り替わった後、前記第２のセル及び該第２のゾーンに対応するように、更新されることを特徴とする請求項３に記載の方法。
【請求項７】
第１のセルが少なくとも第１のゾーンのサービスを提供し、第２セルが該第１のゾーンと第２のゾーンの両方のサービスを提供し、該第１のゾーンのサービスが該第２のゾーンのサービスと異なるような該第１と第２の隣接セルを有する無線ネットワークにおけるトグル切り替えを防止する方法であって、
モバイルユニットが該第１のセルから該第２のセルにハンドオフした後に、該第１のゾーンのサービスを維持し、
該モバイルユニットが該第１のセルから該第２のセルへハンドオフしたとき、該第２のゾーンがモバイルユニットにとって、該第１のゾーンよりも好ましいかを判断し、
該第２のゾーンが該第１のゾーンより好ましい場合には、該モバイルユニットが、該第２のゾーンへハンドオフして通過し、該第２のセル内を進んだ後、該第２のゾーンのサービスへ切り替え、該第２のセルとの通信の間に、該第２のゾーンへの移行ポイントが、該第２のセルへのハンドオフポイントからずれていることを特徴とする方法。
【請求項８】
前記第２のゾーンが前記第１のゾーンより好ましくない場合には、前記モバイルユニットは、前記第２のセル内で該第２のゾーンのサービスに切り替えないことを特徴とする請求項７に記載の方法。
【請求項９】
前記無線ネットワークは、第３のセルを有し、
前記第２のゾーンは、前記モバイルユニットにとって前記第１のゾーンより好ましくなく、
該モバイルユニットは、該第１のゾーンが該第３のセルにおいて使用できない場合のみ、該第３のセル内で、該第２のゾーンのサービスへ切り替えることを特徴とする請求項７に記載の方法。
【請求項１０】
前記第２のセルの信号強度が前記第１のセルの信号強度より前記イグジットパラメータと等しい量だけ大きくなるまで、前記第１のゾーンのサービスが該第２のセル内で維持され、該イグジットパラメータは、前記モバイルユニットが該第２のセルに入る前に通信していたセル及びゾーンの識別情報に依存し、
前記第２のゾーンが該第１のゾーンよりも好ましくない場合には、該モバイルユニットは、該第１のゾーンを使い続け、該第２のセル内で該第２のゾーンのサービスに切り替えず、
該モバイルユニットが該第１のゾーンを使い続ける場合に、該イグジットパラメータは、該モバイルユニットが該第１のセルから該第２のセルにハンドオフするとき、該第２のセルと該第１のゾーンに対応するように、更新されることを特徴とする請求項７に記載の方法。
【請求項１１】
モバイルユニットが、第１と第２のゾーンのサービス間をトグル切り替えしないように防止する無線ネットワークであって、
少なくとも該第１のゾーンのサービスを提供する第１のセルと、
該第１のセルに隣接し、該第１のゾーンのサービスが該第２のゾーンのサービスと異なっている該第１と第２のゾーンのサービスを提供する第２のセルを備え、
該第１及び第２のセルは、モバイルユニットが該第１と第２のセル間の通信を切り替えるハンドオフポイントにおいて、オーバラップしており、該第２のセルは、該モバイルユニットがハンドオフポイントにおいて、該第２のセルへの通信を切り替えた後、該第１のゾーンのサービスを維持し、該第２のセルは、該モバイルユニットが、ハンドオフポイントを通過し、該第２のセル内を移動した後、該モバイルユニットとの通信を維持したまま、該第２のゾーンのサービスへ切り替えることを特徴とする無線ネットワーク。
【請求項１２】
第１と第２のセルを有し、該第１のセルが、第１のゾーンのサービス、又は該第１のゾーンと第２のゾーンの両方のサービスを提供し、該第２のセルが、該第１のゾーンと第２のゾーンの両方のサービスを提供し、該第１のゾーンのサービスが該第２のゾーンのサービスと異なる無線ネットワークにおいて、トグル切り替えを防止する方法であって、
モバイルユニットが該第１のセルから該第２のセルに入ったとき、該モバイルユニットが該第２のセルに入る前に、該第１のセルにおいて、該第２のゾーンのサービスを使用せずに、該第１のゾーンのサービスを使用していたならば、該モバイルユニットが該第２のゾーンのサービスを使用することを防止することを特徴とする方法。
【請求項１３】
前記第１のセルにおいて、前記第２のゾーンで動作し、
前記第２のセルに入った後、前記第１のゾーンと該第２のゾーンのいずれが前記モバイルユニットにとって好ましいかを判断し、
該第１のゾーンが該モバイルユニットにとって好ましい場合、該第２のセルにおいて、該第１のゾーンに切り替えることを特徴とする請求項１２に記載の方法。
【請求項１４】
前記第２のゾーンのサービスを使っている前記第２のセルにおいて、前記モバイルユニットに電力増強を許可することを特徴とする請求項１２に記載の方法。
【請求項１５】
ヒステリシスパラメータは、前記モバイルユニットが前記第２のセルにおいて前記第２のゾーンのサービスを使用するのを防止し、ネットワークは、第３のセルを有し、前記モバイルユニットは、該第３のセルに入る前に該第２のゾーンのサービスを使用していなかった場合、及び、該第３のセルにおいて、該第２のゾーンに関連した該ヒステリシスパラメータが無い場合、該第３のセル内で、該第２のゾーンのサービスを使用することを許されることを特徴とする請求項１２に記載の方法。
【請求項１６】
前記ヒステリシスパラメータは、前記モバイルユニットが前記第２のセルに入る時に、該第２のセルによって、該モバイルユニットに送信されることを特徴とする請求項１５に記載の方法。
【請求項１７】
前記ヒステリシスパラメータは、前記モバイルユニットが入るセルのセル及び該モバイルユニットが入るセル内で使用可能なゾーンの識別情報に基づいて、該モバイルユニットのメモリから選択的に得られることを特徴とする請求項１５に記載の方法。
【請求項１８】
ネットワークは、複数のゾーン−セルの組み合わせを有し、
前記ヒステリシスパラメータは、選択的に各ゾーン−セルの組み合わせに関連付けられることを特徴とする請求項１５に記載の方法。
【請求項１９】
前記モバイルユニットが、第１〜第３のセルの古いセルから第１〜第３のセルの新しいセルに進む場合、該モバイルユニットは、
新しいセルで使用可能なゾーンを特定し、どの使用可能なゾーンが最も好ましいかを決定し、
最も好ましいゾーンに関連した前記ヒステリシスパラメータがあるか否かを判断し、
最も好ましいゾーンに関連した該ヒステリシスパラメータが無い場合には、最も好ましいゾーンのサービスを使用し、
最も好ましいゾーンに関連した該ヒステリシスパラメータがあり、モバイルが新しいセルに入る前に、古いセルにおいて、最も好ましいゾーンのサービスを使用していなかった場合に、最も好ましいゾーンのサービスを使用しないことを特徴とする請求項１５に記載の方法。
【請求項２０】
第１のゾーンのサービスと第２のゾーンのサービスの間のトグル切り替えをモバイルユニットが行わないように防止する無線ネットワークであって、
該第１のゾーンのサービス、又は該第１のゾーンのサービスと該第２のゾーンのサービスの両方を提供する第１のセルを形成する第１の基地局と、
該第１のゾーンのサービスと該第２のゾーンのサービスの両方を提供する第２のセルを形成する第２の基地局と、
を備え、
該第１のセルから該第２のセルへ進む該モバイルユニットが、該第２のセルに入る前に、該第１のセルにおいて、該第２のゾーンのサービスを使用せずに、該第１のゾーンのサービスを使用していたならば、該モバイルユニットが該第２のセルにおいて該第２のゾーンのサービスを使用することを防止することを特徴とする無線ネットワーク。
【発明の詳細な説明】
【０００１】
関係出願へのクロスリファレンス
この出願は、Ｕ．Ｓ．Ｐｒｏｖｉｓｉｏｎａｌ  Ａｐｐｌｉｃａｔｉｏｎ、出願番号６０／１１０，４６９、１９９８年１１月３０日出願及び、６０／１０８，１１２、１９９８年１１月１２日出願に基づいており、優先権を主張するものである。
【０００２】
【発明の背景】
【発明の技術分野】
本発明は、一般に、異なるゾーンで異なるサービスを提供する無線通信ネットワークに関する。特には、本発明は、無線通信ネットワークの異なるゾーン間でのトグル切り替えを防ぐことに関する。
【０００３】
【従来の技術】
図１は、従来の無線通信ネットワークの模式図である。図１に示されるネットワークは、ゾーンＡとゾーンＢとを有している。図１の各円は、セルを表している。ゾーンは１以上のセルから構成される。ゾーンは、提供するサービスによって差別化される。例えば、ゾーンＡは、その中に存在するユーザのホームゾーンである。ホームゾーンの中では、ユーザは、より好ましい通信速度（calling  rate）を与えられ、あるいは、ユーザは、ホームゾーンにおいて、より多くの特 徴を与えられる。図１に示されているシステムは、異なるレベルのサービスを有する一つのネットワークに実装される。ＣＤＭＡ２０００において計画されているＴｉｅｒｅｄ  Ｓｅｒｖｉｃｅｓは、異なるレベルのサービスの一例である。
【０００４】
ユーザが、図１のセル間を移動する時には、モバイルユニットは、通信するセルを切り替えなければならない。これは、「ハンドオフ」によって行われる。モバイルユニットは、最も強い信号を有するセルに対して動作するように設計されている。図１のオーバラップする領域では、通信は、１以上のセルで可能である。オーバラップする領域における信号強度を変えることは、その境界において、セル間を多重ハンドオフすることになる。信号強度の変化は、モバイルユニット自身の移動や、モバイルユニットと関係するセルサイト間の物体の移動によって起こる。多重ハンドオフは、一般に、ユーザには関係ないことである。
【０００５】
図１の影の付いた部分では、ゾーンＡとゾーンＢがオーバラップしており、ゾーンＡセルとゾーンＢセルの何れにおいても通信が可能な領域を示している。多重ハンドオフの結果モバイルユニットが異なるゾーンのセル間を行ったり来たりとトグル切り替えする時には、ユーザのサービスの切り替え、及び、これに伴った問題がユーザに生じる。例えば、呼び出すべき電話番号をダイヤルする処理において、ダイヤルする最初においては、ユーザは、ゾーンＡにいる可能性がある。このとき、ユーザは、フリーコールを使用する権利を与えられ、領域コードを含む完全な電話番号をダイヤルする必要が無いであろう。しかし、ユーザが全部のダイヤルを入力した後、モバイルユニットがゾーンＢに切り替わることが有るであろう。ユーザは、高い料金を払わなければならないだけではなく、ユーザの呼が通知されないであろう。というのも、ユーザは、領域コードを含む完全な電話番号をダイヤルしていなかったからである。
【０００６】
【発明の要約】
従って、本発明の目的は、モバイルユニットが、無線通信ネットワークの異なるゾーン間で、トグル切り替えを行ったり来たりして行わないようにすることである。
【０００７】
この目的と他の目的は、無線通信ネットワークの２つのゾーン間でトグル切り替えをしないような方法及び装置を提供することによって達成される。この方法及び装置は、第１と第２の隣接したセルであって、それぞれが第１と第２の異なるゾーンにおいてサービスを提供するセルを使用する。モバイルユニットは、モバイルユニットが第１のセルから第２のセルにハンドオフする際に、第２のゾーンが第１のゾーンより好ましいか否かを判断する。第２のゾーンが第１のゾーンよりも好ましくない場合には、モバイルユニットは、第２のセル内の第２のゾーンへ切り替えを行わない。第２のゾーンがより好ましい場合、第１のゾーンは、第２のセルの信号強度が第１の信号強度より、イグジットパラメータによって決定される量だけ大きくなるまで、第２のセル内に維持される。この点において、モバイルユニットは、第２のゾーンのサービスに切り替える。
【０００８】
あるいは、モバイルユニットが、第１のセルから第２のセルに入った後、モバイルユニットは、第２のセル内の第２のゾーンに関連したヒステリシスパラメータがあり、モバイルユニットが第１のセルの第２のゾーンのサービスを、第２のセルに入る前に、使用していない際に、第２のゾーンのサービスを使用することをやめる。第２のセル内の第２のゾーンに関連したヒステリシスパラメータがある場合でも、モバイルユニットは、第２のゾーンの第２のセルにおいて、電力を増加することが許される。
【０００９】
本発明は、同様の参照符号が同様の構成要素を示している添付の図面を参照し、例示的にのみ記載される好適実施形態の以下の記載を参照すれば、容易に理解されるであろう。
【００１０】
【好適実施形態の詳細説明】
図２は、本発明の第１の好適実施形態に従った無線ネットワークの模式図である。図１と同様に、各円はセルを示している。各セル内では、ユーザゾーンＩＤは、使用可能なゾーンを特定する。モバイルユニットがセルを切り替える時、新しいセルのユーザゾーンＩＤが送信され、モバイルユニットによって受信される。図２のネットワークにおいて、ユーザゾーンＩＤは、モバイルユニットにゾーンＡ及び／あるいはゾーンＢが使用可能であることを教える。全てのセルは、ゾーンＢのサービスをサポートする。ゾーンＢに加え、中心の７つのセルは、ゾーンＡのサービスもサポートする。６つの外側のセルは、ゾーンＡをサポートし、ゾーンＡのヒステリシスセルとして設定される。内部でプログラムされる内部プリファレンスに従って、モバイルユニットは、他のゾーンよりあるゾーンにアクセスすることを嗜好する。我々の例では、モバイルユニットはゾーンＡのサービスにアクセスすることを好む。
【００１１】
モバイルユニットは、セル１において、唯一利用可能なゾーンである、ゾーンＢを使用するであろう。図の外側のセルから内側のセルに移動すると、モバイルユニットは、セル２のゾーンＢのサービスを使用し続ける。これは、内部の外延部のセルを囲むセルは、ゾーンＡのヒステリシスセルとして設定されているからである。モバイルユニットは、最も内側のセル（セル３）すなわち、ヒステリシスの無いゾーンＡのセルに至るまで、ゾーンＡに関連したサービスを使用しようとはしない。この同じモバイルユニットは、最内部のセル（セル３）から外部のセル（セル４及び５）へ移動する場合、セル４のゾーンＡを使用し続ける。これは、モバイルユニットが、ゾーンＡにアクセスすることを好むからである。モバイルは、ゾーンＢのサービスのみをサポートするセル５に至るまでゾーンＢのサービスへ切り替えようとはしない。
【００１２】
ヒステリシスパラメータの効果は、モバイルユニットがゾーンＡのサービスを得る時と、モバイルユニットがゾーンＡのサービスをやめる時の間のギャップを生成することである。このギャップにより、ゾーンＡへの入口点と出口点が同じセルの境界であり、モバイルユニットがその境界の近傍に居た場合に通常生じるゾーンＡとゾーンＢ間のトグル切り替えを防止する。
【００１３】
ヒステリシスパラメータは、セル間のハンドオフタイミングを変更しないことを理解することは重要である。モバイルユニットは、新しいセルの信号強度が古いセルの信号強度を超えたとき、あるセルから隣接するセルに切り替える。ヒステリシスパラメータは、新しいゾーンへの入口点のみを変えることによって、トグル切り替えを無くしていることを理解することも同じく重要である。我々の例では、モバイルユニットは、ヒステリシスパラメータが無いとした場合のように、ゾーンＡからでる。すなわち、モバイルユニットは、ゾーンＢよりゾーンＡを好むので、モバイルユニットは、（ゾーンＢサービスのみをサポートする外部セルの一つへの通常ハンドオフ点において）利用できなくなるまで、ゾーンＡにアクセスを続ける。
【００１４】
ヒステリシスパラメータは、１つのゾーンのみに関連している。図２の例においては、６つの中間セルがゾーンＡヒステリシスセルであり、ゾーンＡヒステリシスパラメータの組を有している。３つのゾーン（例えば、ゾーンＡ、Ｂ及びＣ）が図２の例で使用可能な場合、中間セルにおいてゾーンＡヒステリシスパラメータが有ることによっては、ゾーンＢとＣの間のゾーン切り替えには何の影響も与えない。ゾーンＢとＣにそれぞれヒステリシスパラメータを設けることは、この目的を達成するために必要である。
【００１５】
ヒステリシスパラメータの実装については、セルからモバイルユニットに送信することが出来る。前述したように、セル内のネットワーク送信機は、そのセルにおいて使用できるゾーンを特定するユーザゾーンＩＤを転送する。ヒステリシスパラメータは、ユーザゾーンＩＤに添付される。この場合、ユーザゾーンＩＤは、モバイルユニットに、セル内においてあるゾーンが使用可能であることを知らせ、モバイルユニットにそのゾーンを以前に使用していないならば、そのゾーンにアクセス出来ないことを通知する。
【００１６】
ユーザゾーンＩＤ及び／あるいはヒステリシスパラメータをモバイルユニットに転送する他の方法としては、モバイルユニットは、どのユーザゾーンにいるか及び、ヒステリシスパラメータの状態を特定するために、セルサイトによって同報される他の識別パラメータを使用しても良い。セルサイトは、通常、システムＩＤ、ネットワークＩＤ、基地局ＩＤ、及び基地局位置情報（緯度、経度等）を同報する。モバイルユニットのメモリに格納される、これら識別パラメータとユーザゾーンＩＤとヒステリシスパラメータ間の参照テーブルを使用することによって、モバイルユニットは、特定のセルの対応するユーザゾーンとヒステリシスパラメータを特定するために、これらの識別パラメータのいずれか、あるいは、全てを使用可能である。先の例のように、モバイルユニットは、適当なユーザゾーンを選択するために、内部に格納されたプリファレンスを使用することも可能である。
【００１７】
図２の例は、他のセルからヒステリシスゾーンに入るとき、動作するゾーンをモバイルユニットが選択する様子を示している。ユーザは、以前のゾーンにアクセスし続ける。図３はゾーンのオーバラップが最小限である例を示している。この場合、ユーザが、番号をダイヤルする前に、モバイルユニットがどのゾーンにいるかを知る必要があるが、その他では、いずれの特定のゾーンについて嗜好が無い場合のゾーンダイヤルへの応用の典型例である。図３においては、中心の３つのセルは、ゾーンＡとゾーンＢの両方のサービスを提供する。西から東（図３の左から右）に移動するモバイルユニットは、最初ゾーンＡ（領域１）が提供するサービスを使用し、領域２と３の境界に至るまで、ゾーンＡを使用し続ける。この点において、モバイルユニットは、ゾーンＢによって提供されるサービスへ切り替える。方向を逆にすると、モバイルユニットは、ゾーンＡのサービスの使用に切り戻しする領域５と領域６の間の境界に至るまで、ゾーンＢのサービスにアクセスし続ける。
【００１８】
もちろん、ユーザは、好むゾーンのヒステリシスパラメータの組を有するセル内において、モバイルユニットの電力を上げることは可能である。これは、図２の領域２及び４、図３の領域２及び５で起こる。図２においては、ゾーンＡ（好む領域）の使用できないことは、ゾーンＢ（それほど好まないゾーン）が使用できるので、問題ではない。図２の領域２と４においては、モバイルユニットは、ゾーンＢのサービスを使用して電力を上げることが出来る。しかし、図３の領域２と５においては、ヒステリシスパラメータが、全ての使用可能なゾーンに設定される。モバイルユニットは、通常、ゾーンＡとゾーンＢの両方にアクセスすることを禁止される。このような問題を解決するために、別のパラメータ（「パワーアップパラメータ」）を設け、モバイルユニットが他の場合には禁止されるゾーンのサービスを用いて、電力を上げることを可能とする。セル内で電力を上げると、モバイルユニットは、ヒステリシスパラメータがそのゾーンについて設定され、パワーアップパラメータが設定されていない時に限り、ゾーンにアクセスするこを禁止する。
【００１９】
ヒステリシスパラメータのように、パワーアップパラメータは、セルによって同報されるか、モバイルユニットに格納され、マッチング（ｍａｔｃｈｉｎｇ）によって得られる。パワーアップパラメータを収容するために、ヒステリシスパラメータは、２ビットの情報として送信することが可能である。第１のビットは、モバイルユニットにヒステリシスがＯＮになっているか否かを知らせる。第２のビットは、モバイルユニットに、セル内で電力増強を行った後、関連するゾーンにアクセスすることが許されるか否かについて知らせる。
【００２０】
モバイルユニットは、電力の増強の時に、数個のゾーンにアクセス出来る場合もある。このような状況に対応する方法は様々なものがある。モバイルユニットは、ヒステリシスパラメータが設定されていないゾーンを嗜好することも可能である。この場合、モバイルユニットは、全てのゾーンがヒステリシスパラメータの組を有している場合のみ、ヒステリシス及びパワーアップパラメータを有するゾーンを使用する。
【００２１】
第１の実施形態は、異なるユーザゾーン間のトグル切り替えを防止する。最も簡単な実装方法は、トグル切り替えを、ヒステリシスパラメータをユーザゾーンの選択されたセルに関連付けることによって、なくす。結果として、ユーザゾーンの入口点がそのユーザゾーンの出口点の十分内側となる。これらヒステリシスセルは、通常、ユーザゾーンを囲む。もちろん、あるゾーンに対するヒステリシスパラメータの組を有する全てのセルは、そのゾーンのサービスをサポートしなくてはならない。図１に示されるネットワークにおいて、いずれのセルもゾーンＡとゾーンＢの両方はサポートしない。従って、図１に示されるネットワークにおける本発明の実装をするために、１以上のセルがゾーンＡとゾーンＢの両方をサポートするように再構築しなくてはならないように思われる。しかし、それぞれが異なるセルを規定する基地局は、共通の交換システムに接続される。セルを制御する無線キャリアは、そのセル内の特定のゾーンのサービスをサポートしないことを好むであろうし、通常、その特定のゾーンのサービスを提供しないであろう。しかし、無線キャリアは、全てのセルでこれらのサービスをサポートすることが出来る。トグル切り替えを防止するために、無線キャリアは、これらのサービスが通常提供されない場合でも、特定のゾーンのサービスを使用可能なようにするであろう。
【００２２】
上記説明は、ユーザゾーンを規定する最小要素としてのセルの概念に基づいて行った。携帯電話システムでは、セルは、セクタと呼ばれるものに更に分割されている。ユーザゾーンのためには、セクタを、１以上のユーザゾーン、ヒステリシスパラメータ、及びパワーアップパラメータが固有に与えられるセルと考えることも可能である。
【００２３】
図４は、本発明の第２の好適実施形態に従った、複数のゾーンを有する無線ネットワークの模式図である。第２の好適実施形態は、第１の好適実施形態と同様であり、差異のみを説明する。第２の好適実施形態に従うと、「Ｕｓｅｒ  Ｚｏｎｅ  Ｅｘｉｔ  Ｐａｒａｍｅｔｅｒ（ＵＺＸＰ）」と呼ばれる新しいパラメータが規定される。セル内の全てのゾーンは、それに関連したＵＺＸＰを有している。モバイルユニットが古いセルから新しいセルにハンドオフする場合には、モバイルユニットは、新しいセル内の使用可能な内部ユーザゾーンのリストを受信する、あるいは、内部で特定する。例えば、モバイルユニットは、各使用可能なゾーンのユーザゾーンＩＤを受信する。この点において、モバイルユニットは、格納されたゾーンプリファレンスのリストを参照する。現在アクセスしているゾーンが新しいセルにおいて使用可能であり、新しいセルで使用可能な他の如何なるゾーンよりも嗜好する場合には、モバイルユニットは、そのゾーンで動作し続ける。他方、モバイルユニットが、新しいセルが提供するゾーンの一つが、現在使用しているゾーンより好ましいと判断した場合には、モバイルユニットは、新しいゾーンへ切り替える。
【００２４】
モバイルユニットが、古いセルを出るまえに、以下の式が満足される必要がある。
ＰＱo／ＰＱn＜ＵＺＸＰo
【００２５】
ここで、ＰＱは、セルのパイロット品質の尺度である（一実装方法としては、ＰＱの値として、パラメータＥｃ／Ｉｏを用いる）。ＰＱnは、新しいセルのパ イロット品質を示す。ＰＱoは、古いセルのパイロット品質を示す。
【００２６】
ＵＺＸＰoは、古いセルに対しての、現在使用しているゾーンのユーザゾーン イグジットパラメータである。ＵＺＸＰは、通常、無次元の分数である。もし、式（ＰＱn−ＰＱo）＞ＵＺＸＰoが使用された場合には、ＵＺＸＰは、ｄＢ単位 での正の数となる。
【００２７】
ＵＺＸＰの効果は、通常のアイドルモードハンドオフポイントを過ぎるまで、ゾーンから出るのを遅らせるものである。第１の実施形態のように、ハンドオフポイントは変化しない。ハンドオフの時は、モバイルユニットは、新しいセルで使用可能なゾーンを知る。新しいセルで古いゾーンが使用可能な場合で、新しいセルで使用可能な他の如何なるゾーンよりも、古いゾーンが好ましい場合には、モバイルユニットは、ＵＺＸＰ式を評価せず、古いゾーンで動作を続ける。しかし、モバイルユニットがユーザゾーンの変更が必要でないと判断すると、すぐに、モバイルユニットに格納されているＵＺＸＰを更新して、ＵＺＸＰが、使用されるゾーン（同じゾーン）及びセル（新しいセル）に対応させる。ゾーンの変更が無い場合には、ＵＺＸＰは、遅延無く更新される。
【００２８】
しかし、新しいセルが以前に使用していたユーザゾーンに関連したサービスをサポートしていない場合には、これらのサービスは、モバイルユニットに予備的に提供される。モバイルユニットは、上記ＵＺＸＰ式を上述したように評価し、モバイルユニットがセルが通常サポートしているゾーンの一つに切り替える出口点を決定する。セルは、モバイルユニットが、式が満足されたらすぐに、古いゾーンを使うことをやめることを予測する。
【００２９】
新しいセルが古いゾーンをサポートするが、古いゾーンが、新しいセルにおいて使用できる他のゾーンの一つよりも好ましくない場合には、モバイルユニットは、ＵＺＸＰ式を上述したように評価する。新しいセルの信号強度が一旦古いセルの信号強度よりもＵＺＸＰだけ大きくなると、モバイルユニットは、ゾーンを切り替える。この点において、モバイルは、格納されているＵＺＸＰを更新する。新しいゾーンと新しいセルのＵＺＸＰは、古いＵＺＸＰに置き換わる。モバイルユニットがゾーンを切り替える前には、それは古いＵＺＸＰのままであることを注意されたい。これは、ゾーン変更が無い場合と異なる状況である。
【００３０】
ＵＺＸＰを実装する方法は幾つかの方法がある。上述の例では、セル内の各ゾーンにＵＺＸＰが存在する。ＵＺＸＰが０に設定された場合には、古いゾーンから新しいゾーンへの移行は、通常のハンドオフポイントにおいて起こる。これとは別に、選択されたゾーン及びセルのみ、関連したＵＺＸＰを有することもある。例えば、ゾーンの境界のセルのみＵＺＸＰを持つ。あるゾーン内では、セルはＵＺＸＰを有さず、そのゾーンからの移行は、通常のハンドオフポイントにおいて起こる。
【００３１】
第１の実施形態とは異なり、ユーザが電力増強するのに、特別な準備は必要ない。ＵＺＸＰは、モバイルユニットがゾーンをでるときに変更を受けるが、モバイルユニットがゾーンに入る時には、変更を受けない。
【００３２】
ヒステリシスパラメータについては、ＵＺＸＰをモバイルユニットが得る方法として、異なる方法がある。ＵＺＸＰは、セルによって、対応するユーザゾーンＩＤと共に、モバイルユニットに送信される。あるいは、第１の実施形態のように、モバイルユニットは、移動局メモリに格納されたクロスレファレンステーブルを用い、システムＩＤ、ネットワークＩＤ、基地局ＩＤ及び基地局位置（緯度、経度）などのセル識別パラメータと関連したユーザゾーンＩＤとＵＺＸＰを特定する。更に、送信する方法とクロスレファレンステーブルの方法の両方を１つのネットワークで使用することも可能である。
【００３３】
各セルは、３つのセクタを有しており、各セクタにＵＺＸＰがあることを注意されたい。ＵＺＸＰの数に関わらず、ＵＺＸＰを得る方法は、一般に同じである。
第２の実施形態を使用するネットワークの動作は、図４に示されている。この例では、セル４、５及び６は、全て、ＵＺＸＰについて０でない値を持っている。ＵＺＸＰの典型的な値は、＋８ｄＢ（評価された式がＰＱn−ＰＱo＞ＵＺＸＰであるとしている）である。外側の点線は、ＵＺＸＰパラメータの効果を模式的に示している。以下の移動局のパスは、第２の実施形態が様々なシナリオの下でどのように動作するかを示している。
【００３４】
パス１−左から右への短い線に沿って進むモバイルユニット（ユーザゾーンＡを嗜好する）は、セル２からセル５へと進む。セル２は、ゾーンＡを提供せず、ゾーンＢに対して、ＵＺＸＰが０である。進んでいくと、モバイルユニットは、Ｘ1で示される通常アイドルモードハンドオフポイントにおいて、新しいセルと 新しいユーザゾーンと通信をはじめる。これは、セル２が、ゾーンＢについてＵＺＸＰが０であることによって、生じる。一旦点Ｘ1を過ぎると、モバイルユニ ットは、ゾーンＡに関連したサービスを受信しはじめる。
【００３５】
パス２−モバイルユニットは、右から左へ向かう、セル８からセル５、そして、セル２へと進む長い線を進む。セル５と８の両方は、好ましいゾーン、ゾーンＡを提供する。モバイルユニットがセル８からセル２に進むと、２つのセルのパワーが同じになる点である点Ｘ2で通常アイドルモードハンドオフを行う。セル ８とセル５は共に、好ましいゾーンをサポートするので、ゾーンサービスに変化はない。セル５は、ゾーンＡに対して、０でないＵＺＸＰ値を有している。モバイルユニットがセル５を通過し、点Ｘ3に至るに従い、通常アイドルモードハン ドオフ処理は、セル２へのハンドオフとなる。セル２は、ユーザゾーンＡをサポートしていないので、移動局は、セル５のパイロット品質対セル２のパイロット品質のＵＺＸＰ式を評価しはじめる。式を評価するために使用されるＵＺＸＰの値は、もちろん、セル５内のゾーンＡのＵＺＸＰである。点Ｘ4で、ＰＱ5／ＰＱ2の値は、ＵＺＸＰA,5の値を下回る。式が満足されたので、移動局はゾーンＡを出て、ゾーンＢのサービスを使用しはじめる。
【００３６】
パス３−図４の左下から右上のパスを追うと、モバイルユニットは、セル５からセル４に進む。セル５と４は共に、ゾーンＡサービスをサポートする。更に、セル５と４は共に、ゾーンＡのＵＺＸＰとして０でない値を持っている。セル５とセル４の等パワー点である点Ｘ5を通過すると、モバイルユニットは、セル４ へアイドルモードハンドオフを行う。セル４の制御チャネルは復号され、モバイルユニットは、ゾーンＡがセル４においてサポートされていることを判断する。セル５とセル４は、共に、好ましいゾーン（ゾーンＡ）をサポートしているので、ＵＺＸＰ式を評価する必要がない。モバイルは、ゾーンＡに関連したサービスを使用し続ける。しかし、モバイルユニットがセル４を離れ（例えば、セル１に行く）時には、ＵＺＸＰ式を評価する必要があるので、セル４のＵＺＸＰが使用される。つまり、モバイルユニットは、格納されるＵＺＸＰを更新する。
【００３７】
第２の実施形態は、上記において、各ゾーン／セルの組み合わせについて、ＵＺＸＰを有しているものとして記載した。ＵＺＸＰがゾーン移行点を変更すべきでないならば、ＵＺＸＰの値は、１（比を用いた式を使用するならば）あるいは、０（差を用いた式を使用するならば）である。あるいは、ゾーン移行点を変える必要がないならば、あるゾーン／セルの組み合わせがＵＺＸＰを有しないことも可能である。モバイルは、ゾーンＡに関連したサービスを使用し続ける。
【００３８】
第２の実施形態は、上記のように、モバイルユニットがゾーンを出る時にのみ変更されるパラメータを持つとして記載した。あるいは、モバイルユニットがゾーンに入る時に、発明を変更することも可能である。更に、モバイルユニットがゾーンを出る時と、入るときに発明を変更することも可能である。
【００３９】
本発明を好適実施形態との関係で記載したが、上記した原理の範囲内での変更は、当業者には明らかであることが理解されるであろう。例えば、図５に示されるセルのサイズ、数及び構成は、任意である。また、ヒステリシスパラメータは、数多くの異なる方法で実装可能である。従って、本発明は、好適実施形態に限定されず、そのような変更も含むことを意図している。
【図面の簡単な説明】
【図１】  複数のゾーンを有する従来の無線通信ネットワークの模式図である。
【図２】  本発明の第１の好適実施形態に従った第１の無線通信ネットワークの模式図である。
【図３】  本発明の第１の好適実施形態に従った第２の無線通信ネットワークの模式図である。
【図４】  本発明の第２の好適実施形態に従った無線通信ネットワークの模式図である。
【図１】
0004246921.tif 000002
【図２】
0004246921.tif 000003
【図３】
0004246921.tif 000004
【図４】
0004246921.tif 000005